(57)【要約】      （修正有）【課題】ガスレンジ、ＩＨクッキングヒーターで油料理をする際、使用する発熱体以外のゴトク、発熱体、トッププレート、ガスレンジ周辺を油ハネから守る油ハネ防止カバーを提供する。【解決手段】複数の発熱手段を有するレンジに装着するものにおいて、少なくとも一つの発熱体７を選択的に覆う油ハネ防止カバー２に孔を設けたことを特徴とした油ハネ防止カバーであり、油ハネ防止カバーには折曲部５を設けレンジを載置させる台所の広さに合わせ折り曲げることもでき、尚且つ油ハネ防止カバーを両面使いとすることにより孔４が一箇所であっても左右の発熱体に対応することが出来る。【選択図】図４
2015038387.tif 000002
【特許請求の範囲】
【請求項１】
複数の発熱手段を有するレンジに装着するものにおいて、耐熱素材を用い少なくとも一つの発熱体を選択的に覆う油ハネ防止カバーに孔を設けたことを特徴とした油ハネ防止カバー。
【請求項２】
前記油ハネ防止カバーに折曲部を設けたことを特徴とした請求項１記載の油ハネ防止カバー。
【請求項３】
前記油ハネ防止カバーを両面使いにしたことを特徴とした請求項１、請求項２記載の油ハネ防止カバー。
【発明の詳細な説明】
【技術分野】
【０００１】
本発明は、複数の発熱手段を有するレンジに装着するものにおいて、耐熱素材を用い少なくとも一つの発熱体を選択的に覆う油ハネ防止カバーに孔を設けたことを特徴とした油ハネ防止カバーに関する。
【背景技術】
【０００２】
特許文献１には、複数のガスバーナーを有するガスレンジのトッププレートを覆うためのガスレンジ用トッププレート覆いであり、金属箔と紙とを貼り合わせてなる矩形シート形状のシート本体と、前記シート本体に形成され、前記ガスバーナーの各々に対応した開口と、前記シート本体の前記開口周りに形成された異なったタイプのガスレンジの開口に対応した他の開口を形成するための開口補助線とを備えた、ガスレンジ用トッププレート覆いであるが
【０００３】
ガスレンジ用トッププレート覆いはトッププレートとゴトクとの間に敷き油ハネからトッププレートを守るものであり、料理をしない他の発熱体、ゴトクは油ハネから守ることが出来ない欠点がある。
【０００４】
又、ＩＨクッキングヒーターに使用することは考えられていない為限られた使用方法であることは明らかである。
【先行技術文献】
【特許文献】
【０００５】
【特許文献１】特開２００６−３３６８７６公報
【発明の概要】
【発明が解決しようとする課題】
【０００６】
レンジ用トッププレート覆いは種種提案されているが、本発明は、複数の発熱手段を有するレンジに装着するものにおいて、耐熱素材を用い少なくとも一つの発熱体を選択的に覆う油ハネ防止カバーに孔を設けたことを特徴とした油ハネ防止カバーであり、料理をしない他の発熱体、ゴトクを油ハネから守る為ゴトクの上から油ハネ防止カバーを覆い、ゴトクを油ハネから守ることを技術課題とする。
【０００７】
又、ＩＨクッキングヒーターで油料理をする場合も料理をしない他の発熱体とＩＨクッキングヒーターのトッププレート上を油ハネから守ることを技術課題とする。
【課題を解決するための手段】
【０００８】
本発明は、複数の発熱手段を有するレンジに装着するものにおいて、耐熱素材を用い少なくとも一つの発熱体を選択的に覆う油ハネ防止カバーに孔を設けたことを特徴とした油ハネ防止カバーであり、使用するガスレンジの発熱体、ゴトク又、使用するＩＨクッキングヒーターの発熱体以外を覆うことが出来るよう両面使いとし、ガスレンジ、ＩＨクッキングヒーターのサイズより外方へ油ハネ防止カバーのサイズを広げ、ガスレンジ、ＩＨクッキングヒーター周辺も油ハネから守り、外方へ広げた面には折曲部を設けガスレンジ、ＩＨクッキングヒーターを載置させる台所の広さに合わせ折り曲げることもできることを特徴とした油ハネ防止カバーである。
尚、耐熱素材としてアルミニウム箔、耐熱樹脂、などが考えられるがこだわるものではない。
【発明の効果】
【０００９】
本発明は、複数の発熱手段を有するレンジに装着するものにおいて、耐熱素材を用い少なくとも一つの発熱体を選択的に覆う油ハネ防止カバーに孔を設けたことを特徴とした油ハネ防止カバーであり、使用しない発熱体、ゴトクとトッププレート又、使用しないＩＨクッキングヒーターの発熱体とそれ以外のＩＨクッキングヒーターのトッププレート上面を油ハネから守る効果がある。
【００１０】
又、ガスレンジ、ＩＨクッキングヒーターのサイズより外方へ油ハネ防止カバーのサイズを広げ、ガスレンジ、ＩＨクッキングヒーター周辺も油ハネから守ることが出来る効果もある。
【００１１】
又、外方へ広げた面には折曲部を設け、折曲部は裏表両面どちらにも折曲することが出来、折り曲げたいところで折り曲げることが出来、例えば両サイドを下に折り曲げてガスレンジ、ＩＨクッキングヒーターとの段差をなくす足とすればガスレンジ、ＩＨクッキングヒーターと上面を合わすことが出来る効果もある。
【００１２】
又、折曲部を設けていることにより、家庭の台所の構造によってガスレンジ、ＩＨクッキングヒーターの左右どちらかが壁に近く載置されておれば油ハネ防止カバーに設けた折曲部を上に折り曲げ壁に沿わせれば壁の一部も油ハネから守ることも出来、油ハネ防止カバーも問題なくガスレンジ、ＩＨクッキングヒーターの上を覆うことが出来る効果もある。
【００１３】
又、家庭の台所の構造によって危なくない状態で油料理をしようとするとガスレンジ、ＩＨクッキングヒーターとも発熱体の左右どちらかを普段使いとして油料理をしている家庭が多く、その為油ハネ防止カバーを両面使いにし、各家庭に合うよう孔を設けた面を普段使いにしているガスレンジのゴトクの上になるよう覆い、又、ＩＨクッキングヒーターも油料理を普段使いしている発熱体の上に孔がくるように覆うことにより油ハネ防止カバー一枚で使い勝手のよい油ハネ防止カバーになる効果もある。
【００１４】
又、ガスレンジ、ＩＨクッキングヒーターの形状が横一列でガスレンジの発熱体、ゴトク、ＩＨクッキングヒーターの発熱体が三箇所に設けられていれば、左右に孔を設け、中央に設けられたガスレンジのゴトク、ＩＨクッキングヒーターの発熱体を覆い隠すことも出来る効果もある。
二箇所とも使用しない場合は二箇所とも覆うことも出来る。
【図面の簡単な説明】
【００１５】
【図１】図１は、油ハネ防止カバーに孔と折曲部を設け、孔からガスレンジの発熱体とゴトクが見えている平面図であり、使用しないガスレンジの発熱体、ゴトクとトッププレート上を覆っている説明図である。
【図２】図２は、油ハネ防止カバーに孔と折曲部を設け、孔からガスレンジの発熱体とゴトクが見えている平面図であり、他の使用しないガスレンジの発熱体、ゴトクとトッププレート上を覆っている説明図である。
【図３】図３は、油ハネ防止カバーに孔と折曲部を設け、孔からガスレンジの発熱体とゴトクが見えている参考斜視図であり、他の使用しないガスレンジの発熱体、ゴトクとトッププレート上を覆っている説明図である。
【図４】図４は、油ハネ防止カバーに孔と折曲部を設け、二箇所の折曲部を上へ折り曲げ、孔からガスレンジの発熱体とゴトクが見えている参考斜視図であり、他の使用しない発熱体、ゴトクとトッププレートを覆っている説明図である。
【図５】図５は、発熱体とゴトクが横一列に設けられたガスレンジの上に覆う、油ハネ防止カバーであり、左右二箇所に孔を設け、中央の発熱体とゴトクを油ハネから守ることを説明する参考斜視図である。
【図６】図６は、油ハネ防止カバーの縦横略中央に使用しない時は折り畳んで片付けることが出来る折曲部を設けた平面図である。
【発明を実施するための形態】
【００１６】
本発明に係る油ハネ防止カバーの実施例を詳細に説明する。
図１、図２は、ガスレンジ１とガスレンジの上を覆う耐熱素材を用いた油ハネ防止カバー２の平面図と説明図である。油ハネ防止カバー２は少なくとも一つの発熱体７を選択的に覆う油ハネ防止カバー２であり、油ハネ防止カバー２に孔４を設け、孔４のサイズは油料理をする鍋、フライパンを載置するゴトク３より若干大きく設け、調理する際火力が油ハネ防止カバー２に及ばないようにする。
【００１７】
又、ガスレンジ１の発熱体７とゴトク３の上を選択的に覆う油ハネ防止カバー２をガスレンジ１より一回り大きく外方へ広げ、周囲には折曲部５を設けることにより、各家庭の台所の広さ、ガスレンジ置き場に対応するよう裏表両面に折り曲げることが出来るようにし、ガスレンジ置き場の左右どちらかが壁に面しておれば、壁に面している側の折曲部５を上に折り曲げ壁に沿わせれば、壁の一部も油ハネから守ることが出来、油ハネ防止カバー２もガスレンジ１の上面を正常に覆うことができる。
【００１８】
又、一般家庭では油料理をする場合、引火などに注意するため一度に複数の調理をすることは少ないと考えられ、油料理をしない他の発熱体７とゴトク３を油ハネから守るよう、他の発熱体７とゴトク３とトッププレート６そしてガスレンジ１の周辺を覆うことが出来、ガスレンジ１の汚れの拭き掃除回数を減らすことが出来る。
【００１９】
又、一連の説明はＩＨクッキングヒーターも同様で、ＩＨクッキングヒーターの発熱体７に油ハネ防止カバー２の４孔がくるよう油ハネ防止カバー２を覆うことで使用しないＩＨクッキングヒーターのトッププレート６上面と周辺を油ハネから守ることが出来る。
【００２０】
又、油ハネ防止カバー２の外方へ広げた面に設けた折曲部５を下に折り曲げればガスレンジ１、ＩＨクッキングヒーターとの段差をなくす足とすればガスレンジ１、ＩＨクッキングヒーターと上面を合わすことが出来る。
【００２１】
又、図面上では油ハネ防止カバー２に設けた孔４の位置が右側であるが、左側に孔４を持ってこようと思えば油ハネ防止カバー２を反転させて使用すればよい。
【００２２】
又、ガスレンジ１、ＩＨクッキングヒーターのサイズが油ハネ防止カバー２と違っても折曲部分がサイズ調整の役割を果たす為、折曲部５をそのまま広げて使用することも出来、折り曲げて使用することも出来る。
【００２３】
図３は、ゴトク３の種類も様々であるため、他のゴトク３の使用するゴトク３に油ハネ防止カバー２の孔４が来るようにし、使用しないゴトク３を覆った説明図である。
【００２４】
図４は、左側に壁があることを想定して折曲部５を上に二面折り曲げた説明図であり、油ハネ防止カバー２の孔４からガスレンジ１の発熱体７とゴトク３が出ている参考斜視図であり、他の使用しない発熱体７、ゴトク３、トッププレート６とガスレンジ１周辺を覆っている説明図である。
【００２５】
図５は、発熱体７とゴトク３が三箇所横一列に設けられたレンジ１の上を覆う油ハネ防止カバー２の参考斜視図であり、左右二箇所に孔４を設け、中央の使用しない発熱体７とゴトク３を油ハネから守ることを説明している。尚、発熱体７とゴトク３が横に二箇所の場合、孔４を一箇所設け使用しないどちらかの発熱体７とゴトク３の上を覆うよう油ハネ防止カバー２を反転させて使用すればよい。
【００２６】
又、発熱体７とゴトク３が三箇所横一列に設けられていても孔４の数は一箇所でも二箇所でもこだわるものではない。
【００２７】
又、ＩＨクッキングヒーターも同様である。
【００２８】
図６は、油ハネ防止カバー２の縦横略中央に使用しない時は折り畳んで片付けることが出来る折曲部５を設けた平面図である。尚、縦横略中央に折曲部５を設けているが折曲部５の位置にはこだわらず、油ハネ防止カバー２上に折曲部５を多く設ければそれだけ小さく折り畳むことができる。
【符号の説明】
【００２９】
１          ガスレンジ
２          油ハネ防止カバー
３          ゴトク
４          孔
５          折曲部
６          トッププレート
７          発熱体
【図１】
2015038387.tif 000003
【図２】
2015038387.tif 000004
【図３】
2015038387.tif 000005
【図４】
2015038387.tif 000006
【図５】
2015038387.tif 000007
【図６】
2015038387.tif 000008
【手続補正書】
【提出日】平成23年10月14日(2011.10.14)
【手続補正１】
【補正対象書類名】明細書
【補正対象項目名】全文
【補正方法】変更
【補正の内容】
【発明の詳細な説明】
【技術分野】
【０００１】
複数の発熱手段を有するレンジに装着するものにおいて、耐熱素材を用い少なくとも一つの発熱体を選択的に覆う油ハネ防止カバーに発熱体とゴトクが使用出来る孔を設け、油ハネ防止カバー周囲に下に折り曲げることが出来る折曲部を設けたことを特徴とした油ハネ防止カバーに関する。
【背景技術】
【０００２】
特許文献１には、複数のガスバーナーを有するガスレンジのトッププレートを覆うためのガスレンジ用トッププレート覆いであり、金属箔と紙とを貼り合わせてなる矩形シート形状のシート本体と、前記シート本体に形成され、前記ガスバーナーの各々に対応した開口と、前記シート本体の前記開口周りに形成された異なったタイプのガスレンジの開口に対応した他の開口を形成するための開口補助線とを備えた、ガスレンジ用トッププレート覆いであるが
【０００３】
ガスレンジ用トッププレート覆いはトッププレートとゴトクとの間に敷き油ハネからトッププレートを守るものであり、料理をしない他の発熱体、ゴトクは油ハネから守ることが出来ない欠点がある。
【０００４】
又、ＩＨクッキングヒーターに使用することは考えられていない為限られた使用方法であることは明らかである。
【先行技術文献】
【特許文献】
【０００５】
【特許文献１】特開２００６−３３６８７６公報
【発明の概要】
【発明が解決しようとする課題】
【０００６】
レンジ用トッププレート覆いは種種提案されているが、本発明は、複数の発熱手段を有するレンジに装着するものにおいて、耐熱素材を用い少なくとも一つの発熱体を選択的に
覆う油ハネ防止カバーに発熱体とゴトクが使用出来る孔を設け、油ハネ防止カバー周囲に下に折り曲げることが出来る折曲部を設けたことを特徴とした油ハネ防止カバーであり、料理をしない他の発熱体、ゴトクを油ハネから守る為ゴトクの上から油ハネ防止カバーを覆い、発熱体、ゴトクを油ハネから守ることを技術課題とする。
【０００７】
又、応用としてＩＨクッキングヒーターで油料理をする場合も料理をしない他の発熱体とＩＨクッキングヒーターのトッププレート上を油ハネから守ることが出来る。
【課題を解決するための手段】
【０００８】
本発明は、複数の発熱手段を有するレンジに装着するものにおいて、耐熱素材を用い少なくとも一つの発熱体を選択的に覆う油ハネ防止バーに発熱体とゴトクが使用出来る孔を設け、油ハネ防止カバー周囲に下に折り曲げることが出来る折曲部を設けたことを特徴とした油ハネ防止カバーであり、又、油ハネ防止カバーを両面使いにすることにより、使用する発熱体とゴトクが左右どちらでも対応出来るようにし、又、油ハネ防止カバー周囲に下に折り曲げることが出来る折曲部を設け、折曲部は使用するゴトク、又はレンジ等と高さを合わせることが出来るよう高さ調整出来る複数の折曲部を設けたことを特徴とした油ハネ防止カバーである。
尚、耐熱素材としてアルミニウム箔、耐熱樹脂、などが考えられるがこだわるものではない。
【発明の効果】
【０００９】
本発明は、複数の発熱手段を有するレンジに装着するものにおいて、耐熱素材を用いなくとも一つの発熱体を選択的に覆う油ハネ防止カバーに発熱体とゴトクが使用出来る孔を設け、油ハネ防止カバー周囲に下に折り曲げることが出来る折曲部を設けたことを特徴とした油ハネ防止カバーであり、使用しない発熱体、ゴトクとトッププレート又、使用しないＩＨクッキングヒーターの発熱体とそれ以外のＩＨクッキングヒーターのトッププレート上面を油ハネから守る効果がある。
【００１０】
又、ガスレンジ、ＩＨクッキングヒーターのサイズより外方へ油ハネ防止カバーのサイズを広げ、ガスレンジ、ＩＨクッキングヒーター周辺も油ハネから守ることが出来る効果もある。
【００１１】
又、外方へ広げた面には折曲部を設け、折曲部は裏表両面どちらにも折曲することが出来、折り曲げたいところで折り曲げることが出来、例えば両サイドを下に折り曲げてガスレンジ、ＩＨクッキングヒーターとの段差をなくす足とすればガスレンジ、ゴトク、ＩＨクッキングヒーターと上面を合わすことが出来る効果もある。  
【００１２】
又、家庭の台所の構造によって危なくない状態で油料理をしようとするとガスレンジ、ＩＨクッキングヒーターとも発熱体の左右どちらかを普段使いとして油料理をしている家庭が多く、その為油ハネ防止カバーを両面使いにし、各家庭に合うよう孔を設けた面を普段使いにしているガスレンジのゴトクに合わせることができる効果もある。
【００１３】
又、ＩＨクッキングヒーターも油料理を普段使いしている発熱体の上に孔がくるようにすることにより油ハネ防止カバー一枚で使い勝手のよい油ハネ防止カバーになる効果もある。
【００１４】
又、ガスレンジ、ＩＨクッキングヒーターの形状が横一列でガスレンジの発熱体、ゴトク、ＩＨクッキングヒーターの発熱体が三箇所に設けられていれば、左右に孔を設け、中央に設けられたガスレンジのゴトク、ＩＨクッキングヒーターの発熱体を覆い隠すことも出来る効果もある。
二箇所とも使用しない場合は二箇所とも覆うことも出来る。
【図面の簡単な説明】
【００１５】
【図１】図１は、油ハネ防止カバーに発熱体とゴトクが使用出来る孔と油ハネ防止カバー周囲に複数の折曲部を設けている平面図であり、使用しないガスレンジの発熱体、ゴトクとトッププレート上を覆っている説明図である。
【図２】図２は、油ハネ防止カバーに発熱体とゴトクが使用出来る孔と油ハネ防止カバー周囲に複数の折曲部を設け、他の使用しないガスレンジの発熱体、ゴトクとトッププレート上を覆っている説明図である。
【図３】図３は、油ハネ防止カバーに発熱体とゴトクが使用出来る孔と油ハネ防止カバー周囲に複数の折曲部を設けた参考斜視図であり、他の使用しないガスレンジの発熱体、ゴトクとトッププレート上を覆っている説明図である。
【図４】図４は、発熱体とゴトクが横一列に設けられたガスレンジの上に覆う、油ハネ防止カバーであり、左右二箇所に発熱体とゴトクが使用出来る孔を設け、中央の発熱体とゴトクを油ハネから守ることを説明する参考斜視図である。
【図５】図５は、油ハネ防止カバーの縦横略中央に使用しない時は折り畳んで片付けることが出来る折曲部を設け、油ハネ防止カバー周囲には複数の折曲部を設け、周囲の折曲部は使用するゴトク、又はレンジ等と高さを合わせることが出来るよう高さ調整出来る複数の折曲部を設けた平面図である。
【発明を実施するための形態】
【００１６】
本発明に係る油ハネ防止カバーの実施例を詳細に説明する。
図１、図２は、ガスレンジ１とガスレンジの上を覆う耐熱素材を用いた油ハネ防止カバー２の平面図と説明図である。油ハネ防止カバー２は少なくとも一つの発熱体７を選択的に覆う油ハネ防止カバー２であり、油ハネ防止カバー２に発熱体とゴトクが使用出来る孔４を設けたものである。
【００１７】
又、ガスレンジ１の発熱体７とゴトク３の上を選択的に覆う油ハネ防止カバー２をガスレンジ１より一回り大きく外方へ広げ、周囲には複数の折曲部５を設け、周囲の折曲部５は使用するゴトク３、又はガスレンジ１等と高さを合わせることが出来る足として高さ調整出来、各家庭の台所の広さ、ガスレンジ置き場に対応するよう裏表両面に折り曲げることが出来る。
【００１８】
又、一般家庭では油料理をする場合、引火などに注意するため一度に複数の調理をすることは少ないと考えられ、油料理をしない他の発熱体７とゴトク３を油ハネから守るよう、他の発熱体７とゴトク３とトッププレート６そしてガスレンジ１の周辺を覆うことが出来、ガスレンジ１の汚れの拭き掃除回数を減らすことが出来る。
【００１９】
又、一連の説明は応用としてＩＨクッキングヒーターも同様で、ＩＨクッキングヒーターの発熱体７に油ハネ防止カバーの孔４がくるよう油ハネ防止カバー２を覆うことで使用しないＩＨクッキングヒーターのトッププレート上面と周辺を油ハネから守ることが出来る。
【００２０】
又、油ハネ防止カバー２の外方へ広げた面に設けた折曲部５を下に折り曲げればガスレンジ１、ＩＨクッキングヒーターとの段差をなくす足とすればガスレンジ１、ＩＨクッキングヒーターと上面を合わすことが出来る。
【００２１】
又、図面上では油ハネ防止カバー２に設けた孔４の位置が右側であるが、左側に孔４を持ってこようと思えば油ハネ防止カバー２を反転させて使用すればよい。
【００２２】
又、ガスレンジ１、ＩＨクッキングヒーターのサイズが油ハネ防止カバー２と違っても折曲部分がサイズ調整の役割を果たす為、折曲部５をそのまま広げて使用することも出来、折り曲げて使用することも出来る。
【００２３】
図３は、ゴトク３の種類も様々であるため、他のゴトク３の使用するゴトク３に油ハネ防止カバー２の孔４が来るようにし、使用しないゴトク３を覆った説明図である。
【００２４】
図４は、発熱体７とゴトク３が三箇所横一列に設けられたレンジ１の上を覆う油ハネ防止カバー２の参考斜視図であり、左右二箇所に孔４を設け、中央の使用しない発熱体７とゴトク３を油ハネから守ることを説明している。尚、発熱体７とゴトク３が横に二箇所の場合、孔４を一箇所設け使用しないどちらかの発熱体７とゴトク３の上を覆うよう油ハネ防止カバー２を反転させて使用すればよい。
【００２５】
又、発熱体７とゴトク３が三箇所横一列に設けられていても孔４の数は一箇所でも二箇所でもこだわるものではない。
【００２６】
又、ＩＨクッキングヒーターも同様である。
【００２７】
図５は、油ハネ防止カバー２の縦横略中央に使用しない時は折り畳んで片付けることが出来る折曲部５を設けた平面図である。尚、縦横略中央に折曲部５を設けているが折曲部５の位置にはこだわらず、油ハネ防止カバー２上に折曲部５を多く設ければそれだけ小さく折り畳むことができる。
【符号の説明】
【００２８】
１    ガスレンジ
２    油ハネ防止カバー
３    ゴトク
４    孔
５    折曲部
６    トッププレート
７    発熱体
【手続補正２】
【補正対象書類名】特許請求の範囲
【補正対象項目名】全文
【補正方法】変更
【補正の内容】
【特許請求の範囲】
【請求項１】
複数の発熱手段を有するレンジに装着するものにおいて、耐熱素材を用い少なくとも一つの発熱体を選択的に覆う油ハネ防止カバーに発熱体とゴトクが使用出来る孔を設け、油ハネ防止カバー周囲に下に折り曲げることが出来る折曲部を設けたことを特徴とした油ハネ防止カバー。
【請求項２】
前記油ハネ防止カバーを両面使いにしたことを特徴とした請求項１記載の油ハネ防止カバー。
【請求項３】
前記折曲部は高さ調整出来る複数の折曲部を設けたことを特徴とした請求項１、又は請求項２記載の油ハネ防止カバー。
【手続補正４】
【補正対象書類名】図面
【補正対象項目名】全図
【補正方法】変更
【補正の内容】
【図１】
2015038387.tif 000009
【図２】
2015038387.tif 000010
【図３】
2015038387.tif 000011
【図４】
2015038387.tif 000012
【図５】
2015038387.tif 000013